(57)【要約】【課題】調光および調色が可能であって、ちらつきやビデオフリッカの発生を抑制することができる電源装置および照明器具を提供する。【解決手段】電源装置１は、発光色の異なる複数の光源２に点灯電流を供給する電源回路３と、複数の光源２のそれぞれに対応する点灯電流の供給および停止を切り替える電流遮断器４と、電源回路３および電流遮断器４を制御する制御回路５とを備える。制御回路５は、複数の第２期間Ｔ１，Ｔ２，Ｔ３のそれぞれに、複数の光源２のいずれか１つを対応付ける。制御回路５は、指示された調光レベル（調光レベルの指示値）が閾値（調光閾値）Ｘ１よりも高い場合にＤＣ調光制御を実行し、調光レベルが閾値Ｘ１よりも低い場合にＰＷＭ調光制御を実行する。【選択図】図１
2017117740.tif 000002
【特許請求の範囲】
【請求項１】
発光色の異なる複数の光源に点灯電流を供給する電源回路と、前記複数の光源のそれぞれに対応する前記点灯電流の供給および停止を切り替える電流遮断器と、前記電源回路および前記電流遮断器を制御する制御回路とを備え、
前記制御回路は、周期的に設定した第１期間を複数の第２期間に時分割し、前記複数の第２期間のそれぞれに、前記複数の光源のいずれか１つを対応付けて、前記複数の第２期間のそれぞれにおいて、指示された調光レベルが閾値よりも高い場合にＤＣ調光制御を実行し、前記調光レベルが前記閾値よりも低い場合にＰＷＭ調光制御を実行し、
前記ＤＣ調光制御における前記制御回路は、前記調光レベルが高いほど、前記点灯電流の振幅が大きくなるように前記電源回路を制御し、かつ前記複数の第２期間のそれぞれに対応する前記光源に対して、前記複数の第２期間のそれぞれの全期間に亘って前記点灯電流を供給するように前記電流遮断器を制御し、
前記ＰＷＭ調光制御における前記制御回路は、前記点灯電流の振幅を一定の値になるように前記電源回路を制御し、かつ前記調光レベルが高いほど、前記点灯電流の供給期間が長くなるように前記電流遮断器を制御する
ことを特徴とする電源装置。
【請求項２】
前記制御回路は、第１制御回路と、第２制御回路とを備え、
前記第１制御回路は、前記電流遮断器を制御し、
前記第２制御回路は、前記電源回路を制御する
ことを特徴とする請求項１に記載の電源装置。
【請求項３】
バイアス回路をさらに備え、
前記電源回路は、前記複数の光源の並列回路に直列接続されたスイッチング素子と、前記点灯電流に応じた電圧である検出電圧を出力する電流検出部とを備え、
前記バイアス回路は、前記複数の第２期間のそれぞれにおいて、前記調光レベルが低いほど、振幅が大きい直流電圧を出力し、
前記制御回路は、前記直流電圧に前記検出電圧が重畳された重畳電圧を目標電圧と比較して、前記重畳電圧が前記目標電圧に達すると前記スイッチング素子をオフ状態に制御する
ことを特徴とする請求項１または２に記載の電源装置。
【請求項４】
請求項１〜３の何れか一項に記載の電源装置と、発光色の異なる前記複数の光源とを備える
ことを特徴とする照明器具。
【発明の詳細な説明】
【技術分野】
【０００１】
本発明は、電源装置および照明器具に関する。
【背景技術】
【０００２】
従来例として、特許文献１に記載の照明装置を例示する。特許文献１に記載の照明装置は、異なる色の光をそれぞれ発する第１のＬＥＤ（Light Emitting Diode）、第２のＬＥＤ、第３のＬＥＤおよび第４のＬＥＤを発光させて光を合成する。照明装置は、第１〜第４のＬＥＤの光出力を調整することにより、所望の色度の光を実現する。照明装置は、第１〜第４のＬＥＤから成る発光部と、第１〜第４のＬＥＤの各々について１周期における発光時間を制御する発光時間制御部と、第１〜第４のＬＥＤの各々の発光および非発光を周期的に制御するＬＥＤ管理部と、第１〜第４のＬＥＤの各々を駆動するＬＥＤ駆動回路とを備える。
【０００３】
特許文献１に記載の照明装置では、第１〜第４のＬＥＤの各々が他を排して単独で発光している。照明装置では、各ＬＥＤの１周期に占める発光時間の割合を維持しながら、各ＬＥＤの単独発光状態を形成している。照明装置は、第１〜第４のＬＥＤについて、１周期内において複数回の発光および非発光を繰り返す。
【先行技術文献】
【特許文献】
【０００４】
【特許文献１】特開２０１１−３４７８８号公報
【発明の概要】
【発明が解決しようとする課題】
【０００５】
ところで、特許文献１に記載の照明装置では、第１〜第４のＬＥＤのそれぞれの調光レベルが低下すると、１周期内において、第１〜第４のＬＥＤのいずれもが発光しない期間が発生してしまう。第１〜第４のＬＥＤの何れもが発光しない期間が長くなるほど、ちらつきやビデオフリッカが発生し易くなってしまう。
【０００６】
本発明は、上記事由に鑑みてなされており、調光および調色が可能であって、ちらつきやビデオフリッカの発生を抑制することができる電源装置および照明器具を提供することを目的とする。
【課題を解決するための手段】
【０００７】
本発明の電源装置は、発光色の異なる複数の光源に点灯電流を供給する電源回路と、前記複数の光源のそれぞれに対応する前記点灯電流の供給および停止を切り替える電流遮断器と、前記電源回路および前記電流遮断器を制御する制御回路とを備え、前記制御回路は、周期的に設定した第１期間を複数の第２期間に時分割し、前記複数の第２期間のそれぞれに、前記複数の光源のいずれか１つを対応付けて、前記複数の第２期間のそれぞれにおいて、指示された調光レベルが閾値よりも高い場合にＤＣ調光制御を実行し、前記調光レベルが前記閾値よりも低い場合にＰＷＭ調光制御を実行し、前記ＤＣ調光制御における前記制御回路は、前記調光レベルが高いほど、前記点灯電流の振幅が大きくなるように前記電源回路を制御し、かつ前記複数の第２期間のそれぞれに対応する前記光源に対して、前記複数の第２期間のそれぞれの全期間に亘って前記点灯電流を供給するように前記電流遮断器を制御し、前記ＰＷＭ調光制御における前記制御回路は、前記点灯電流の振幅を一定の値になるように前記電源回路を制御し、かつ前記調光レベルが高いほど、前記点灯電流の供給期間が長くなるように前記電流遮断器を制御することを特徴とする。
【０００８】
本発明の照明器具は、上述の電源装置と、発光色の異なる前記複数の光源とを備えることを特徴とする。
【発明の効果】
【０００９】
本発明の電源装置および照明器具は、調光および調色が可能であって、ちらつきやビデオフリッカの発生を抑制することができるという効果がある。
【図面の簡単な説明】
【００１０】
【図１】実施形態１に係る電源装置を示す回路構成図である。
【図２】図２Ａは実施形態１に係る第１制御回路の動作を示す説明図、図２Ｂは信号変換回路の動作を示す説明図である。
【図３】図３Ａは実施形態１に係る調光レベルと電流比の関係を示す説明図、図３Ｂは調光レベルと点灯電流の関係を示す説明図、図３Ｃは調光レベルとスイッチング素子のオン時間の関係を示す説明図である。
【図４】実施形態１に係る電源装置のＤＣ調光制御の動作を説明するタイムチャートである。
【図５】実施形態１に係る電源装置のＰＷＭ調光制御の動作を説明するタイムチャートである。
【図６】実施形態１に係る照明器具を示す斜視図である。
【図７】実施形態１に係る照明器具を示す左側面図である。
【図８】実施形態２に係る電源装置を示す回路構成図である。
【図９】実施形態２に係る電源装置の要部を示す回路構成図である。
【図１０】実施形態２に係る電源装置のＤＣ調光制御の動作を説明するタイムチャートである。
【図１１】実施形態２に係る電源装置のＰＷＭ調光制御の動作を説明するタイムチャートである。
【図１２】実施形態３に係る電源装置を示す回路構成図である。
【図１３】実施形態３に係る電源装置のＰＷＭ調光制御の動作を説明するタイムチャートである。
【図１４】実施形態３に係る電源装置の別の例のＰＷＭ調光制御の動作を説明するタイムチャートである。
【発明を実施するための形態】
【００１１】
以下の実施形態は、電源装置および照明器具に関し、より詳細には、発光色の異なる光源に電力を供給する電源装置、および電源装置を備える照明器具に関する。以下、電源装置および照明器具の実施形態について図面を参照して詳細に説明する。
【００１２】
（実施形態１）
本実施形態の電源装置１について、図１〜図７を参照して説明する。電源装置１は、図１に示すように、発光色の異なる第１光源２１、第２光源２２、および第３光源２３のそれぞれを点灯させる。第１光源２１は、電気的に直列接続される複数の赤色ＬＥＤ（Light Emitting Diode）２１１で構成されている。第２光源２２は、電気的に直列接続される複数の緑色ＬＥＤ２２１で構成されている。第３光源２３は、電気的に直列接続される青色ＬＥＤ２３１で構成されている。赤色ＬＥＤ２１１、緑色ＬＥＤ２２１、および青色ＬＥＤ２３１のそれぞれは、各別に定格電流が定められている。そして、本実施形態の電源装置１は、第１光源２１、第２光源２２、および第３光源２３のそれぞれの定格電流以下の電流を流すように構成されている。
【００１３】
電源装置１は、電流遮断器４と、電源回路３と、制御回路５と、信号変換回路６とを備える。制御回路５は、第１制御回路５１と、第２制御回路５２とを有する。電流遮断器４は、第１スイッチング素子Ｑ１と、第２スイッチング素子Ｑ２と、第３スイッチング素子Ｑ３とを有する。
【００１４】
第１スイッチング素子Ｑ１、第２スイッチング素子Ｑ２、および第３スイッチング素子Ｑ３のそれぞれは、ｎチャネル型のＭＯＳＦＥＴ（Metal-Oxide-Semiconductor Field-Effect Transistor）である。第１スイッチング素子Ｑ１のドレインは、第１光源２１のカソード側に電気的に直列接続されている。第２スイッチング素子Ｑ２のドレインは、第２光源２２のカソード側に電気的に直列接続されている。第３スイッチング素子Ｑ３のドレインは、第３光源２３のカソード側に電気的に直列接続されている。第１スイッチング素子Ｑ１、第２スイッチング素子Ｑ２、および第３スイッチング素子Ｑ３のそれぞれのソースは、電源回路３の出力端に電気的に接続されている。第１光源２１と第１スイッチング素子Ｑ１とで構成される直列回路、第２光源２２と第２スイッチング素子Ｑ２とで構成される直列回路、および第３光源２３と第３スイッチング素子Ｑ３とで構成される直列回路のそれぞれは、電源回路３の出力端の両端間に電気的に並列接続されている。
【００１５】
電源回路３は、第４スイッチング素子Ｑ４と、ダイオードＤ１と、降圧チョークＬ１と、検出抵抗Ｒ１（電流検出部）とを備える。降圧チョークＬ１は、一次側コイルＬ１１と二次側コイルＬ１２とを有する。第４スイッチング素子Ｑ４は、ｎチャネル型のＭＯＳＦＥＴである。第４スイッチング素子Ｑ４のドレインは、直流電源Ｖｉｎの正極に電気的に接続されている。第４スイッチング素子Ｑ４のソースは、降圧チョークＬ１の一次側コイルＬ１１の巻き終わりである一端に電気的に接続されている。ダイオードＤ１のカソードは、第４スイッチング素子Ｑ４のソースと電気的に接続される。ダイオードＤ１のアノードは、検出抵抗Ｒ１の一端と電気的に接続される。検出抵抗Ｒ１の他端は、直流電源Ｖｉｎの負極と電気的に接続されている。
【００１６】
第４スイッチング素子Ｑ４とダイオードＤ１と検出抵抗Ｒ１とで構成される直列回路は、直流電源Ｖｉｎの両極間に電気的に接続される。降圧チョークＬ１の一次側コイルＬ１１の巻き始めである他端は、第１光源２１、第２光源２２、および第３光源２３のそれぞれと電気的に接続されている。降圧チョークＬ１の一次側コイルＬ１１とダイオードＤ１とで構成される直列回路は、第１光源２１と第１スイッチング素子Ｑ１とで構成されている直列回路の両端間に電気的に接続されている。また、降圧チョークＬ１の一次側コイルＬ１１とダイオードＤ１とで構成される直列回路は、第２光源２２と第２スイッチング素子Ｑ２とで構成される直列回路の両端間に電気的に接続されている。さらに、降圧チョークＬ１の一次側コイルＬ１１とダイオードＤ１とで構成される直列回路は、第３光源２３と第３スイッチング素子Ｑ３とで構成される直列回路の両端間と電気的に接続されている。
【００１７】
降圧チョークＬ１の二次側コイルＬ１２の巻き始めである一端は、第２制御回路５２に電気的に接続されている。また、降圧チョークＬ１の二次側コイルＬ１２の巻き終わりである他端は、直流電源Ｖｉｎの負極に電気的に接続されている。
【００１８】
第１制御回路５１は、ＣＰＵ（中央演算処理装置）およびメモリなどを有するマイクロコントローラで構成されている。第１制御回路５１は、第１スイッチング素子Ｑ１、第２スイッチング素子Ｑ２、および第３スイッチング素子Ｑ３のそれぞれのゲートに電気的に接続されている。なお、第１制御回路５１は、ゲートドライバＩＣなどを介してスイッチング素子Ｑ１、スイッチング素子Ｑ２、及びスイッチング素子Ｑ３のそれぞれのゲートと電気的に接続されてもよい。第１制御回路５１は、第１スイッチング素子Ｑ１、第２スイッチング素子Ｑ２、および第３スイッチング素子Ｑ３のそれぞれを各別にオンおよびオフする。
【００１９】
第２制御回路５２は、第４スイッチング素子Ｑ４のゲートに電気的に接続される。第２制御回路５２は、第４スイッチング素子Ｑ４をオンおよびオフする。第２制御回路５２は、検出抵抗Ｒ１の一端に電気的に接続され、検出抵抗Ｒ１の両端電圧（第１検出電圧）Ｖｒ１を監視する。また、第２制御回路５２は、降圧チョークＬ１の二次側コイルＬ１２の一端と電気的に接続され、降圧チョークＬ１の二次側コイルＬ１２の両端電圧（第２検出電圧）Ｖｚｃｄを監視する。
【００２０】
第２制御回路５２および電源回路３の動作について説明する。以下の説明において、第１スイッチング素子Ｑ１が第１制御回路５１によってオン状態に制御されている場合を説明する。第２制御回路５２は、第１検出電圧Ｖｒ１が後に説明する目標電圧Ｖｔｈ１に達するまで、第４スイッチング素子Ｑ４をオン状態に制御する。第４スイッチング素子Ｑ４がオン状態になると、直流電源Ｖｉｎの正極→降圧チョークＬ１の一次側コイルＬ１１→第１光源２１→検出抵抗Ｒ１→直流電源Ｖｉｎの負極の経路で点灯電流が流れる。第２制御回路５２は、第１検出電圧Ｖｒ１が目標電圧Ｖｔｈ１に達すると、第４スイッチング素子Ｑ４をオフ状態に制御する。第４スイッチング素子Ｑ４がオフ状態になると、降圧チョークＬ１の一次側コイルＬ１１に蓄積されたエネルギが放出され、降圧チョークＬ１の一次側コイルＬ１１→第１光源２１→ダイオードＤ１→降圧チョークＬ１の一次側コイルＬ１１の経路で点灯電流（回生電流）が流れる。第２制御回路５２は、第２検出電圧Ｖｚｃｄから回生電流を間接的に監視し、回生電流がゼロになると、第４スイッチング素子Ｑ４をオフ状態からオン状態に制御する。
【００２１】
第２制御回路５２は、上述のように第４スイッチング素子Ｑ４を臨界モードによって制御する。
【００２２】
また、第１制御回路５１が第２スイッチング素子Ｑ２をオン状態に制御している場合、第２制御回路５２は、第１検出電圧Ｖｒ１が目標電圧Ｖｔｈ２に達するまで、第４スイッチング素子Ｑ４をオン状態に制御する。そして、第２制御回路５２は、第１検出電圧Ｖｒ１が目標電圧Ｖｔｈ２に達すると第４スイッチング素子Ｑ４をオフ状態に制御する。さらに、第１制御回路５１が第３スイッチング素子Ｑ３をオン状態に制御している場合、第２制御回路５２は、第１検出電圧Ｖｒ１が目標電圧Ｖｔｈ３に達するまで、第４スイッチング素子Ｑ４をオン状態に制御する。そして、第２制御回路５２は、第１検出電圧Ｖｒ１が目標電圧Ｖｔｈ３に達すると第４スイッチング素子Ｑ４をオフ状態に制御する。
【００２３】
ところで、第１制御回路５１は、一定の第１期間Ｔ０を周期的に繰り返して第１光源２１、第２光源２２、および第３光源２３の調光および調色を行う。第１期間Ｔ０は、時分割される３つの第２期間Ｔ１，Ｔ２，Ｔ３および３つのデッドタイムＤＴとで構成される（図４参照）。第１制御回路５１は、第２期間Ｔ１に第１スイッチング素子Ｑ１を対応づけ、第２期間Ｔ１内において、第１スイッチング素子Ｑ１をオン状態に制御することができる。また、第１制御回路５１は、第２期間Ｔ２に第２スイッチング素子Ｑ２を対応づけ、第２期間Ｔ２内において、第２スイッチング素子Ｑ２をオン状態に制御することができる。さらに、第１制御回路５１は、第２期間Ｔ３に第３スイッチング素子Ｑ３を対応づけ、第３スイッチング素子Ｑ３をオン状態に制御することができる。第１制御回路５１は、第１光源２１、第２光源２２、および第３光源２３が、互いに重複した期間に点灯しないように第２期間Ｔ１，Ｔ２，Ｔ３を対応付けている。３つのデッドタイムＤＴのそれぞれは、第２期間Ｔ１と第２期間Ｔ２の間、第２期間Ｔ２と第２期間Ｔ３との間、および第２期間Ｔ３と第２期間Ｔ１との間に設けられている。第１制御回路５１は、３つのデッドタイムＤＴのそれぞれにおいて、第１光源２１、第２光源２２、および第３光源２３のいずれもが点灯しないように第１スイッチング素子Ｑ１、第２スイッチング素子Ｑ２、および第３スイッチング素子Ｑ３のそれぞれをオフ状態に制御する。
【００２４】
第１制御回路５１は、図１に示すように、例えば、調光操作卓と呼ばれるコントローラから調光信号および調色信号を含むコマンドを受信するように構成されている。第１制御回路５１は、当該コマンドで要求される光色に照明光の光色を一致させるように動作する。調光操作卓は、複数のフェーダと呼ばれる入力デバイスを備えている。複数のフェーダのそれぞれの操作位置は、例えば、赤光色、緑光色、または青光色の光量にそれぞれ対応している。つまり、調光操作卓は、オペレータに操作されるフェーダのそれぞれの操作位置に基づき、赤光色、緑光色、および青光色の調光レベルの指示値を生成し、当該指示値（指示された調光レベル）を含むコマンドを第１制御回路５１に送信するように構成されている。
【００２５】
第１制御回路５１は、第２期間Ｔ１，Ｔ２、Ｔ３のそれぞれに同期して、調光レベルの指示値に基づいて、第１光源２１、第２光源２２、および第３光源２３のそれぞれに対応する調光制御信号（ＰＷＭ信号）を出力する。調光制御信号は、図２Ａに示すように、調光レベルの指示値が調光閾値Ｘ１よりも高い場合、調光レベルの指示値が高いほど、調光制御信号のオンデューティが高くなり、調光レベルの指示値が低いほど、調光制御信号のオンデューティが低くなる。また、調光レベルの指示値が調光閾値Ｘ１よりも低い場合、調光制御信号のオンデューティは、調光レベルの指示値が調光閾値Ｘ１のときのオンデューティ一定に維持される。
【００２６】
信号変換回路６は、抵抗およびコンデンサなどによって構成される積分回路である。信号変換回路６は、図１に示すように、第１制御回路５１および第２制御回路５２と電気的に接続されている。信号変換回路６は、例えば、第１制御回路５１から出力された調光制御信号（ＰＷＭ信号）を積分する。信号変換回路６は、積分された直流の調光電圧信号を第２制御回路５２に出力する調光電圧信号は、第２期間Ｔ１，Ｔ２，Ｔ３のそれぞれに対応するオンデューティが高いほど、電圧値が高くなる。また、調光電圧信号は、第２期間Ｔ１，Ｔ２，Ｔ３のそれぞれに対応するオンデューティが低いほど、電圧値が低くなる。
【００２７】
図２Ｂでは、横軸に調光電圧信号の電圧値が示されており、縦軸に目標電圧Ｖｔｈが示されている。なお、目標電圧Ｖｔｈは、目標電圧Ｖｔｈ１，Ｖｔｈ２，Ｖｔｈ３の何れかの目標電圧を示している。調光レベルの指示値が調光閾値Ｘ１よりも高い場合、図２Ｂに示すように、調光電圧信号の電圧値が高くなるにつれて（調光制御信号のオンデューティが高くなるにつれて）目標電圧Ｖｔｈは高くなる。調光レベルの指示値が調光閾値Ｘ１よりも低い場合、第１制御回路５１から一定のオンデューティの調光制御信号が送信されるので、目標電圧Ｖｔｈは調光レベルの指示値が調光閾値Ｘ１のときの目標電圧Ｖｔｈに維持される。
【００２８】
ところで、第１制御回路５１は、調光レベルの指示値に基づいてＤＣ調光制御およびＰＷＭ調光制御を択一的に選択して第１光源２１、第２光源２２、および第３光源２３の調光レベルを制御する。ここで、一例として第１光源２１に特化して図３Ａ、図３Ｂ、および図３Ｃを参照して説明する。図３Ａには、横軸に第１光源２１に対応する調光レベルの指示値が示されており、縦軸に赤色ＬＥＤ２１１の定格電流に対して第１光源２１に実際に供給される電流の比（電流比）が示されている。図３Ａに示すように、第１光源２１に対応する調光レベルの指示値が高くなるにつれて、第１光源２１に供給される電流の比は高くなる。第１光源２１に対応する調光レベルの指示値の最大値は、第１光源２１に定格電流を供給する場合に相当する。
【００２９】
第１制御回路５１には、調光閾値Ｘ１が、例えば、メモリなどに予め記憶されている。調光閾値Ｘ１は、ＤＣ調光制御とＰＷＭ調光制御との境界を示す。第１制御回路５１は、調光操作卓から送信される第１光源２１の調光レベルの指示値が調光閾値Ｘ１よりも高い場合、ＤＣ調光制御によって第１光源２１の調光レベルを制御する。また、第１制御回路５１は、調光操作卓から送信される第１光源２１の調光レベルの指示値が調光閾値Ｘ１よりも低い場合、ＰＷＭ調光制御によって第１光源２１の調光レベルを制御する。
【００３０】
ＤＣ調光制御における第１制御回路５１は、図３Ｂおよび図３Ｃに示すように、調光レベルの指示値が高くなるほど、第１光源２１の点灯電流の振幅（ピーク値Ｉｐ０）を大きくし（図３Ｂ参照）、第１スイッチング素子Ｑ１を第２期間Ｔ１の全期間に亘ってオン状態に制御する（図３Ｃ参照）。
【００３１】
なお、調光閾値Ｘ１における第１光源２１の点灯電流のピーク値Ｉｐ０は、最低値Ｉｐ１に相当する。ＰＷＭ調光制御における第１制御回路５１は、点灯電流の振幅を最低値Ｉｐ１に維持し（図３Ｂ参照）、調光レベルが高くなるほど、第１スイッチング素子Ｑ１の第２期間Ｔ１におけるオン時間ｔ１を長くする（図３Ｃ参照）。
【００３２】
第１制御回路５１には、さらに、第２光源２２に対応する調光閾値Ｘ２、および第３光源２３に対応する調光閾値Ｘ３が、例えば、メモリなどに予め記憶されている。第２光源２２の調光レベルの指示値が調光閾値Ｘ２よりも高い場合、第１制御回路５１は、ＤＣ調光制御によって、第２光源２２の調光レベルを制御する。また、第２光源２２の調光レベルの指示値が調光閾値Ｘ２よりも低い場合、第１制御回路５１は、ＰＷＭ調光制御によって、第２光源２２の調光レベルを制御する。さらに、第３光源２３の調光レベルの指示値が調光閾値Ｘ３よりも高い場合、第１制御回路５１は、ＤＣ調光制御によって、第３光源２３の調光レベルを制御する。また、第３光源２３の調光レベルの指示値が調光閾値Ｘ３よりも低い場合、第１制御回路５１は、ＰＷＭ調光制御によって、第３光源２３の調光レベルを制御する。
【００３３】
なお、第１光源２１、第２光源２２、および第３光源２３のそれぞれに対応する調光閾値Ｘ１，Ｘ２，Ｘ３は、互いに異なる値であってもよい。
【００３４】
また、第２光源２２に対応する調光閾値Ｘ２における、第２光源２２の点灯電流のピーク値Ｉｐ０は、図４および図５に示すように、第２光源２２の点灯電流の最低値Ｉｐ２に相当する。さらに、第３光源２３に対応する調光閾値Ｘ３における、第３光源２３の点灯電流のピーク値Ｉｐ０は、第３光源２３の点灯電流の最低値Ｉｐ３に相当する。
【００３５】
また、ＰＷＭ調光制御において、第１制御回路５１が第２期間Ｔ２内に第２スイッチング素子Ｑ２をオン状態に制御する時間をオン時間ｔ２とする。また、ＰＷＭ調光制御において、第１制御回路５１が第２期間Ｔ３内に第３スイッチング素子Ｑ３をオン状態に制御する時間をオン時間ｔ３とする。
【００３６】
第１光源２１、第２光源２２、および第３光源２３のそれぞれの低い調光レベルに対応するために、第１制御回路５１は、第１スイッチング素子Ｑ１、第２スイッチング素子Ｑ２、および第３スイッチング素子Ｑ３のそれぞれのオン時間ｔ１、ｔ２、ｔ３を可変してＰＷＭ調光制御する（図５参照）。
【００３７】
なお、比較例の電源装置では、図３Ｂおよび図３Ｃに示すように、光源に流れる点灯電流の振幅の値を一定にし、調光レベルの指示値が大きいほど、光源と電気的に直列接続されるスイッチング素子によるオン時間を長くして光源を調光制御している。
【００３８】
ＤＣ調光制御における電源装置１の動作について、図１および図４を参照して説明する。なお、図４に示されるＶｇ１は、第１スイッチング素子Ｑ１のゲートに印加される電圧を示している。図４に示されるＶｇ２は、第２スイッチング素子Ｑ２のゲートに印加される電圧を示している。図４に示されるＶｇ３は、第３スイッチング素子Ｑ３のゲートに印加される電圧を示している。図４に示されるＶｇ４は、第４スイッチング素子Ｑ４のゲートに印加される電圧を示している。
【００３９】
第１制御回路５１は、図１に示すように、上述の調光操作卓から送信されるコマンドを受け取る。当該コマンドには、第１光源２１の調光レベル、第２光源２２の調光レベル、および第３光源２３の調光レベルのそれぞれの指示値が含まれている。
【００４０】
第１制御回路５１は、図４に示すように、第２期間Ｔ１が開始されると、第１スイッチング素子Ｑ１をオン状態に制御する。第１制御回路５１は、コマンドに含まれる調光レベルの指示値に基づいて、第１光源２１に対応する調光制御信号を信号変換回路６に送信する。信号変換回路６は、調光制御信号を積分し、直流の調光電圧信号に変換する。なお、第２期間Ｔ１の間、第１制御回路５１は、第２スイッチング素子Ｑ２および第３スイッチング素子Ｑ３をオフ状態に制御する。
【００４１】
第２制御回路５２は、信号変換回路６から調光電圧信号を受け取り、第１光源２１に対応する目標電圧Ｖｔｈ１を設定する。第２制御回路５２は、第１検出電圧Ｖｒ１が目標電圧Ｖｔｈ１に達するまで、第４スイッチング素子Ｑ４をオン状態に制御する。また、第２制御回路５２は、第１検出電圧Ｖｒ１が目標電圧Ｖｔｈ１に達すると、第４スイッチング素子Ｑ４をオフ状態に制御する。第２制御回路５２は、第２検出電圧Ｖｚｃｄがゼロになるまで、第４スイッチング素子Ｑ４のオフ状態を維持する。第２制御回路５２は、第２検出電圧Ｖｚｃｄがゼロになると、第４スイッチング素子Ｑ４をオン状態に制御する。このようにして、第２制御回路５２は、第２期間Ｔ１の全期間に亘って第４スイッチング素子Ｑ４をスイッチング制御する。
【００４２】
第２期間Ｔ１が終了すると、第１制御回路５１は、第１スイッチング素子Ｑ１をオフ状態に制御する。デッドタイムＤＴが経過した後、第２期間Ｔ２が開始され、第１制御回路５１は、第２スイッチング素子Ｑ２をオン状態に制御し、かつ第２光源２２に対応する調光レベルの指示値に基づく調光制御信号を信号変換回路６に送信する。このとき、第１制御回路５１は、第３スイッチング素子Ｑ３をオフ状態に制御する。
【００４３】
第２制御回路５２は、信号変換回路６から調光電圧信号を受け取り、目標電圧Ｖｔｈ２を設定する。第２制御回路５２は、第１検出電圧Ｖｒ１が目標電圧Ｖｔｈ２に達するまで、第４スイッチング素子Ｑ４をオン状態に制御する。また、第２制御回路５２は、第１検出電圧Ｖｒ１が目標電圧Ｖｔｈ２に達すると、第４スイッチング素子Ｑ４をオフ状態に制御する。第２制御回路５２は、第２検出電圧Ｖｚｃｄがゼロになるまで、第４スイッチング素子Ｑ４のオフ状態を維持する。第２制御回路５２は、第２検出電圧Ｖｚｃｄがゼロになると、第４スイッチング素子Ｑ４をオン状態に制御する。このようにして、第２制御回路５２は、第２期間Ｔ２の全期間に亘って第４スイッチング素子Ｑ４をスイッチング制御する。
【００４４】
第２期間Ｔ２が終了すると、第１制御回路５１は、第２スイッチング素子Ｑ２をオフ状態に制御する。デッドタイムＤＴが経過した後、第２期間Ｔ３が開始され、第１制御回路５１は、第３スイッチング素子Ｑ３をオン状態に制御し、かつ第３光源２３に対応する調光レベルの指示値に基づく調光制御信号を信号変換回路６に送信する。このとき、第１制御回路５１は、第１スイッチング素子Ｑ１をオフ状態に制御する。
【００４５】
第２制御回路５２は、信号変換回路６から調光電圧信号を受け取り、第３光源２３に対応する目標電圧Ｖｔｈ３を設定する。第２制御回路５２は、第１検出電圧Ｖｒ１が目標電圧Ｖｔｈ３に達するまで、第４スイッチング素子Ｑ４をオン状態に制御する。また、第２制御回路５２は、第１検出電圧Ｖｒ１が目標電圧Ｖｔｈ３に達すると、第４スイッチング素子Ｑ４をオフ状態に制御する。第２制御回路５２は、第２検出電圧Ｖｚｃｄがゼロになるまで、第４スイッチング素子Ｑ４のオフ状態を維持する。第２制御回路５２は、第２検出電圧Ｖｚｃｄがゼロになると、第４スイッチング素子Ｑ４をオン状態に制御する。このようにして、第２制御回路５２は、第２期間Ｔ３の全期間に亘って第４スイッチング素子Ｑ４をスイッチング制御する。
【００４６】
第２期間Ｔ３が終了すると、第１制御回路５１は、第３スイッチング素子Ｑ３をオフ状態に制御する。デッドタイムＤＴが経過した後、第２期間Ｔ１が開始され、第１スイッチング素子Ｑ１をオン状態に制御し、第１光源２１に対応する調光レベルの指示値に基づく調光制御信号を信号変換回路６に送信する。このようにして、本実施形態の電源装置１は、第１期間Ｔ０を周期的に繰り返すことで、調光および調色を行う。
【００４７】
次に、第２期間Ｔ１，Ｔ２，Ｔ３において、第１光源２１、第２光源２２、および第３光源２３のそれぞれの調光レベルの指示値が、対応する調光閾値Ｘ１，Ｘ２，Ｘ３よりも低い場合について説明する。電源装置１は、ＰＷＭ調光制御によって、第１光源２１、第２光源２２、および第３光源２３の調光レベルを制御する。ＰＷＭ制御における電源装置１の動作について図５を参照して説明する。
【００４８】
以下に、第２期間Ｔ１における第１スイッチング素子Ｑ１のオンデューティが５０％である場合について説明する。第１制御回路５１は、第１スイッチング素子Ｑ１をオン状態に制御する。第２期間Ｔ１が開始されると、第１制御回路５１は、図５に示すように、調光レベルの指示値に基づいて、第１光源２１に対応する調光制御信号を信号変換回路６に送信する。このとき、調光レベルの指示値が調光閾値Ｘ１よりも低いので、目標電圧Ｖｔｈ１は、最低値Ｉｐ１に対応する電圧値になる。信号変換回路６は、調光制御信号を積分し、調光電圧信号に変換する。また、第２スイッチング素子Ｑ２および第３スイッチング素子Ｑ３はオフ状態に制御される。
【００４９】
第２制御回路５２は、信号変換回路６から調光電圧信号を受け取り、目標電圧Ｖｔｈ１を設定する。第２制御回路５２は、第１検出電圧Ｖｒ１が目標電圧Ｖｔｈ１に達するまで、第４スイッチング素子Ｑ４をオン状態に制御する。第２制御回路５２は、第１検出電圧Ｖｒ１が目標電圧Ｖｔｈ１に達すると、第４スイッチング素子Ｑ４をオフ状態に制御する。第２制御回路５２は、第２検出電圧Ｖｚｃｄがゼロになるまで、第４スイッチング素子Ｑ４のオフ状態を維持する。第２制御回路は、第２検出電圧Ｖｚｃｄがゼロになると、第４スイッチング素子Ｑ４をオン状態に制御する。
【００５０】
このとき、第１制御回路５１は、第２期間Ｔ１の開始からＴ１／２の時間の長さであるオン時間ｔ１が経過するまで、第１スイッチング素子Ｑ１をオン状態に制御する。そして、第１制御回路５１は、第２期間Ｔ１のオン時間ｔ１が経過すると、第１スイッチング素子Ｑ１をオフ状態に制御する。
【００５１】
第２期間Ｔ１が終了すると、第１制御回路５１は、第１スイッチング素子Ｑ１をオフ状態を維持する。デッドタイムＤＴが経過した後、第２期間Ｔ２が開始され、第１制御回路５１は、第２スイッチング素子Ｑ２をオン状態に制御し、かつ第２光源２２に対応する調光レベルの指示値に基づく調光制御信号を信号変換回路６に送信する。第２期間Ｔ２の間、第１制御回路５１は、第３スイッチング素子Ｑ３をオフ状態に制御する。
【００５２】
第２期間Ｔ２における第２スイッチング素子Ｑ２のオンデューティが７５％である場合について説明する。第１制御回路５１は、調光レベルの指示値に基づいて、第２光源２２に対応する調光制御信号を信号変換回路６に送信する。信号変換回路６は、調光制御信号を積分し、調光電圧信号に変換する。指示された調光レベルが調光閾値Ｘ２よりも低いので、目標電圧Ｖｔｈ２は、最低値Ｉｐ２に対応する電圧値になる。
【００５３】
第２制御回路５２は、信号変換回路６から調光電圧信号を受け取り、目標電圧Ｖｔｈ２を設定する（図５参照）。第２制御回路５２は、第１検出電圧Ｖｒ１が目標電圧Ｖｔｈ２に達するまで、第４スイッチング素子Ｑ４をオン状態に制御する。第２制御回路５２は、第１検出電圧Ｖｒ１が目標電圧Ｖｔｈ２に達すると、第４スイッチング素子Ｑ４をオフ状態に制御する。第２制御回路５２は、第２検出電圧Ｖｚｃｄがゼロになるまで、第４スイッチング素子Ｑ４のオフ状態を維持する。第２制御回路は、第２検出電圧Ｖｚｃｄがゼロになると、第４スイッチング素子Ｑ４をオン状態に制御する。
【００５４】
このとき、第１制御回路５１は、第２期間Ｔ２の開始から（３×Ｔ２）／４の時間の長さであるオン時間ｔ２が経過するまで、第２スイッチング素子Ｑ２をオン状態に制御する。そして、第１制御回路５１は、第２期間Ｔ２のオン時間ｔ２が経過すると第２スイッチング素子Ｑ２をオフ状態に制御する。
【００５５】
第２期間Ｔ２が終了すると、第１制御回路５１は、第２スイッチング素子Ｑ２をオフ状態を維持する。デッドタイムＤＴが経過した後、第２期間Ｔ３が開始され、第１制御回路５１は、第３スイッチング素子Ｑ３をオン状態に制御し、かつ第３光源２３に対応する調光レベルの指示値に基づく調光制御信号を信号変換回路６に送信する。第２期間Ｔ２の間、第１制御回路５１は、第１スイッチング素子Ｑ１をオフ状態に制御する。
【００５６】
第２期間Ｔ３における第３スイッチング素子Ｑ３のオンデューティが２５％である場合について説明する。第１制御回路５１は、調光レベルの指示値に基づいて、第３光源２３に対応する調光制御信号を信号変換回路６に送信する。信号変換回路６は、調光制御信号を積分し、調光電圧信号に変換する。指示された調光レベルが調光閾値Ｘ３よりも低いので、目標電圧Ｖｔｈ３は、最低値Ｉｐ３に対応する電圧値になる。
【００５７】
第２制御回路５２は、信号変換回路６から調光電圧信号を受け取り、目標電圧Ｖｔｈ３を設定する。第２制御回路５２は、第１検出電圧Ｖｒ１が目標電圧Ｖｔｈ３に達するまで、第４スイッチング素子Ｑ４をオン状態に制御する。第２制御回路５２は、第１検出電圧Ｖｒ１が目標電圧Ｖｔｈ３に達すると、第４スイッチング素子Ｑ４をオフ状態に制御する。第２制御回路５２は、第２検出電圧Ｖｚｃｄがゼロになるまで、第４スイッチング素子Ｑ４のオフ状態を維持する。第２制御回路は、第２検出電圧Ｖｚｃｄがゼロになると、第４スイッチング素子Ｑ４をオン状態に制御する。
【００５８】
このとき、第１制御回路５１は、第２期間Ｔ３の開始から（１×Ｔ３）／４の時間の長さであるオン時間ｔ３が経過するまで、第３スイッチング素子Ｑ３をオン状態に制御する。そして、第１制御回路５１は、第２期間Ｔ３のオン時間ｔ３が経過すると、第３スイッチング素子Ｑ３をオフ状態に制御する。
【００５９】
第２期間Ｔ３が終了すると、第１制御回路５１は、第３スイッチング素子Ｑ３をオフ状態を維持する。デッドタイムＤＴが経過した後、第２期間Ｔ１が開始され、第１制御回路５１は、第１スイッチング素子Ｑ１をオン状態に制御し、かつ第１光源２１に対応する調光レベルの指示値に基づく調光制御信号を信号変換回路６に送信する。
【００６０】
本実施形態の電源装置１では、ＤＣ調光制御において、調光レベルの指示値に対応して点灯電流のピーク値Ｉｐ０を変化させる。この結果、第１光源２１、第２光源２２、および第３光源２３のそれぞれが点灯している場合と消灯している場合との明るさの差が比較例と比較して小さい（図３Ｂ参照）。また、本実施形態の電源装置１では、ＤＣ調光制御において、第１光源２１、第２光源２２、および第３光源２３のいずれもが点灯していない期間が比較例と比較して短い（図３Ｃ参照）。したがって、本実施形態の電源装置１は、第１期間Ｔ０が周期的に繰り返し実行されることで調光および調色が可能であって、ちらつきやビデオフリッカの発生を抑制することができる。
【００６１】
本実施形態の電源装置１では、ＰＷＭ調光制御において、点灯電流のピーク値Ｉｐ０が最低値Ｉｐ１，Ｉｐ２，Ｉｐ３のそれぞれに対応している。この結果、第１光源２１、第２光源２２、および第３光源のそれぞれが点灯している場合と消灯している場合との明るさの差が比較例と比較して小さい。（図３Ｂ参照）。また、本実施形態の電源装置１では、ＰＷＭ調光制御において、第１光源２１、第２光源２２、および第３光源２３のいずれもが点灯していない期間が比較例と比較して短い（図３Ｃ参照）。したがって、本実施形態の電源装置１は、第１期間Ｔ０が周期的に繰り返し実行されることで調光および調色が可能であって、ちらつきやビデオフリッカの発生を抑制することができる。
【００６２】
なお、本実施形態で説明する光源２の数および発光色は一例であって、限定されるものでない。また、複数の赤色ＬＥＤ２１１、複数の緑色ＬＥＤ２２１、および複数の青色ＬＥＤ２３１のそれぞれは、電気的に並列接続されてもよい。また、複数の赤色ＬＥＤ２１１、複数の緑色ＬＥＤ２２１、および複数の青色ＬＥＤ２３１のそれぞれは、直列接続および並列接続を組み合わせて電気的に接続されていても構わない。
【００６３】
本実施形態の電源装置１では、第２期間Ｔ１，Ｔ２，Ｔ３の全てにおいて、ＤＣ調光制御が行われている場合と、第２期間Ｔ１，Ｔ２，Ｔ３の全てにおいて、ＰＷＭ調光制御が行われている場合について説明している。しかしながら、電源装置１は、例えば、第２期間Ｔ１でのみＤＣ調光制御し、第２期間Ｔ２，Ｔ３でＰＷＭ調光制御を行ってもよい。つまり、電源装置１は、第１期間Ｔ０内において、第１光源２１、第２光源２２、および第３光源２３のそれぞれの調光レベルの指示値に基づいて、ＤＣ調光制御およびＰＷＭ調光制御を組み合わせて、周期的に第１期間Ｔ０を繰り返して調光および調色してもよい。
【００６４】
本実施形態の電源装置１は、発光色の異なる複数の光源２（第１光源２１、第２光源２２、および第３光源２３）に点灯電流を供給する電源回路３を備える。電源装置１は、複数の光源２のそれぞれに対応する点灯電流の供給および停止を切り替える電流遮断器４（第１スイッチング素子Ｑ１、第２スイッチング素子Ｑ２、および第３スイッチング素子Ｑ３）をさらに備える。電源装置１は、電源回路３および電流遮断器４を制御する制御回路５（第１制御回路５１および第２制御回路５２）をさらに備える。制御回路５は、周期的に設定した第１期間Ｔ０を複数の第２期間Ｔ１，Ｔ２，Ｔ３に時分割し、複数の第２期間Ｔ１，Ｔ２，Ｔ３のそれぞれに、複数の光源２のいずれか１つを対応付ける。制御回路５は、複数の第２期間Ｔ１，Ｔ２，Ｔ３のそれぞれにおいて、指示された調光レベル（調光レベルの指示値）が閾値（調光閾値）Ｘ１，Ｘ２，Ｘ３よりも高い場合にＤＣ調光制御を実行し、調光レベルが閾値Ｘ１，Ｘ２，Ｘ３よりも低い場合にＰＷＭ調光制御を実行する。ＤＣ調光制御における制御回路５は、調光レベルが高いほど、点灯電流の振幅が大きくなるように電源回路３を制御する。ＤＣ調光制御における制御回路５は、さらに複数の第２期間Ｔ１，Ｔ２，Ｔ３のそれぞれに対応する光源２に対して、複数の第２期間Ｔ１，Ｔ２，Ｔ３のそれぞれの全期間に亘って点灯電流を供給するように電流遮断器４を制御する。ＰＷＭ調光制御における制御回路５は、点灯電流の振幅を一定の値になるように電源回路３を制御し、かつ調光レベルが高いほど、点灯電流の供給期間が長くなるように電流遮断器４を制御する。
【００６５】
本実施形態の電源装置１は、上述のように構成されるので、調光および調色が可能であって、ちらつきやビデオフリッカの発生を抑制することができる。
【００６６】
本実施形態の電源装置１において、制御回路５は、第１制御回路５１と、第２制御回路５２とを備えることが好ましい。第１制御回路５１は、電流遮断器４を制御することが好ましい。第２制御回路５２は、電源回路３を制御することが好ましい。
【００６７】
本実施形態の電源装置１が上述のように構成されると、第１制御回路５１および第２制御回路５２のそれぞれが制御対象ごとに回路を分割できる。
【００６８】
本実施形態の照明器具１０について図６および図７について説明する。本実施形態の照明器具１０は、テレビ局のスタジオや舞台などの背景壁面（ホリゾント）を照明する用途に用いられる、いわゆるホリゾントライトである。ただし、本実施形態の技術思想が適用可能な照明器具は、ホリゾントライトに限定されない。なお、以下の説明では、図６において、上下、左右、前後の各方向を規定する。
【００６９】
照明器具１０は、第１光源２１、第２光源２２、第３光源２３とで構成される光源ユニット２０と、電源ユニット７とを備える。
【００７０】
光源ユニット２０は、図６に示すように、４つのＬＥＤモジュール２００と、第１筐体２４と、反射ブロック２５と、放熱板ブロック２６とを備える。４つのＬＥＤモジュール２００のそれぞれは、長方形状の基板の表面に、複数の赤色ＬＥＤ２１１、複数の緑色ＬＥＤ２２１、および複数の青色ＬＥＤ２３１が実装されて構成されている。
【００７１】
基板の表面には、それぞれレセプタクルコネクタが実装されている。これらのレセプタクルコネクタが有する複数の端子は、基板の表面または裏面に形成される導電体（銅箔）を介して、複数の赤色ＬＥＤ２１１、複数の緑色ＬＥＤ２２１、および複数の青色ＬＥＤ２３１のそれぞれに電気的に接続されている。また、レセプタクルコネクタは、電源装置１の出力端と電源ケーブルを介して電気的に接続されている。
【００７２】
第１筐体２４は、図６に示すように、金属板によって直方体形状に形成される。第１筐体２４には、前面に開口する矩形の窓孔２４０が設けられている。第１筐体２４の内部には、表面を窓孔２４０に対向させるようにして、４つのＬＥＤモジュール２００が縦横２列に並んで収容される。
【００７３】
反射ブロック２５は、複数の反射板２５１と遮光板２５２とを備える。これらの複数の反射板２５１および遮光板２５２は、第１筐体２４内において、窓孔２４０と４つのＬＥＤモジュール２００のそれぞれとの間に配置されて、４つのＬＥＤモジュール２００のそれぞれから放射される光の配光を制御するように構成される。
【００７４】
放熱板ブロック２６は、多数の放熱板２６０を有し、放熱板２６０のそれぞれを互いに厚板方向に沿って等間隔に並べて構成される。放熱板ブロック２６は、第１筐体２４の後面に設けられる。なお、放熱板ブロック２６は、第１筐体２４内において、４つのＬＥＤモジュール２００のそれぞれと熱的に結合されていることが好ましい。
【００７５】
電源ユニット７は、電源装置１と、電源装置１を収容する第２筐体１１と、一対のアーム１２とを備える。なお、電源ユニット７は、電力変換部をさらに備えることが好ましい。電力変換部は、外部からの交流電力を直流電力に変換するための回路部品などによって構成されている。
【００７６】
第２筐体１１は、金属板によって、扁平な直方体形状に形成され、電源装置１を収容するように構成される。一対のアーム１２は、第２筐体１１の左右両端から上向きに立ち上がるように設けられる。一対のアーム１２は、先端に向かって、前後方向の幅寸法を徐々に狭くするように形成される。一対のアーム１２の先端部分には、いわゆる、ノブボルト１３のボルトが挿通される挿通孔がそれぞれ設けられる。すなわち、一対のアーム１２は、先端部分の挿通孔に挿通されるノブボルト１３を、第１筐体２４の左右両端側に設けられる雌ねじにねじ込むことにより、光源ユニット２０を回転可能に支持するように構成されている。
【００７７】
本実施形態の照明器具１０は、図７に示すように、例えば、光源ユニット２０の窓孔２４０を背景壁面１０１に向け、かつ背景壁面１０１から離れた床１０２に設置される。
【００７８】
本実施形態の照明器具１０は、電源装置１を備えることで、調光および調色が可能であって、ちらつきやビデオフリッカの発生を抑制することができる。
【００７９】
なお、本実施形態の照明器具１０は、屋外で使用される投光器などでもよい。
【００８０】
本実施形態の照明器具１０は、電源装置１と、発光色の異なる複数の光源２とを備える。
【００８１】
本実施形態の照明器具１０は上述のように構成されるので、調光および調色が可能であって、ちらつきやビデオフリッカの発生を抑制することができる。
【００８２】
（実施形態２）
本実施形態の電源装置１Ａについて図８〜図１１を参照して説明する。本実施形態の電源装置１Ａでは、バイアス回路８および分圧抵抗Ｒ２をさらに備えることが実施形態１と相違する。なお、実施形態１と重複する構成については、同じ符号を付し、詳しい説明は省略する。
【００８３】
第１制御回路５１は、図８に示すように、第２期間Ｔ１，Ｔ２，Ｔ３のそれぞれに同期して、調光レベルの指示値に基づいて、第１光源２１、第２光源２２、および第３光源２３のそれぞれに対応する調光制御信号（ＰＷＭ信号）を出力する。ＤＣ調光制御における調光制御信号は、調光レベルの指示値が高いほど、調光制御信号のオンデューティが低くなる。また、ＤＣ調光制御における調光制御信号は、調光レベルの指示値が低いほど、調光制御信号のオンデューティが高くなる。さらに、ＰＷＭ調光制御における調光制御信号は、調光レベルの指示値が調光閾値Ｘ１のときのオンデューティ一定に維持される。つまり、実施形態１の調光制御信号と比較すると、本実施形態の調光制御信号は、実施形態１で説明した調光制御信号のオンデューティを反転させた信号に相当する。
【００８４】
信号変換回路６は、第１制御回路５１から出力された調光制御信号（ＰＷＭ信号）を積分し、積分された直流の調光電圧信号をバイアス回路８に出力する。調光レベルの指示値が所定の調光閾値Ｘ１よりも高い場合、調光電圧信号は、調光レベルの指示値が高いほど、電圧値が低くなり、調光レベルの指示値が低いほど、電圧値が高くなる。調光レベルの指示値が所定の調光閾値Ｘ１よりも低い場合、調光電圧信号は、調光レベルの指示値が調光閾値Ｘ１のときの電圧値である最大電圧値に維持される。
【００８５】
バイアス回路８は、図９に示すように、オペアンプＯＰ１、分圧抵抗Ｒａ，Ｒｂなどで構成されている。オペアンプＯＰ１の入力端（マイナス）は、オペアンプＯＰ１の出力端と電気的に接続される。オペアンプＯＰ１の入力端（プラス）は、信号変換回路６と電気的に接続され、信号変換回路６から出力された直流の調光電圧信号が入力される。オペアンプＯＰ１は、バッファ回路を形成し、調光電圧信号を出力する。
【００８６】
分圧抵抗Ｒａの一端は、オペアンプＯＰ１の出力端に電気的に接続されている。分圧抵抗Ｒａの他端は、第２制御回路５２に電気的に接続されている。分圧抵抗Ｒｂの一端は、分圧抵抗Ｒａの他端に電気的に接続されている。分圧抵抗Ｒｂの他端は、グランド（例えば、直流電源Ｖｉｎの負極）に電気的に接続されている。
【００８７】
ＤＣ調光制御における複数の第２期間Ｔ１，Ｔ２，Ｔ３のそれぞれにおいて、調光レベルの指示値が低いほど調光制御信号のオンデューティが大きくなる。したがって、信号変換回路６が調光制御信号を平滑して調光電圧信号を出力するので、バイアス回路８は、調光レベルの指示値が高いほど、振幅が小さい直流電圧を出力する（図１０参照）。
【００８８】
ＰＷＭ調光制御における複数の第２期間Ｔ１，Ｔ２，Ｔ３のそれぞれにおいて、調光制御信号のオンデューティは、調光レベルの指示値が調光閾値Ｘ１のときのオンデューティ一定に維持される。したがって、ＰＷＭ調光制御において、調光レベルの指示値が調光閾値Ｘ１のときのオンデューティに基づく最大電圧値の調光電圧信号を信号変換回路６が出力するので、バイアス回路８は、一定振幅の直流電圧を出力する（図１１参照）。
【００８９】
分圧抵抗Ｒ２の一端は、検出抵抗Ｒ１の一端と電気的に接続される。分圧抵抗Ｒ２の他端は、バイアス回路８の出力側に電気的に接続されている。
【００９０】
第２制御回路５２には、第１検出電圧Ｖｒ１とバイアス回路８の出力電圧とを重畳した重畳電圧Ｖｉｓが入力される。
【００９１】
したがって、第２制御回路５２は、第１光源２１、第２光源２２、および第３光源２３に対応する目標電圧Ｖｔｈを設定する。本実施形態の目標電圧Ｖｔｈは、第２期間Ｔ１，Ｔ２，Ｔ３にいずれの場合においても、一定の値である。
【００９２】
図１０は、ＤＣ調光制御における電源装置１Ａの動作を示している。また、図１１は、ＰＷＭ調光制御における電源装置１Ｂの動作を示している。
【００９３】
第２制御回路５２は、図１０および図１１に示すように、重畳電圧Ｖｉｓが目標電圧Ｖｔｈに達すると、第２制御回路５２は、第４スイッチング素子Ｑ４をオン状態からオフ状態に切り替える。第２検出電圧Ｖｚｃｄがゼロになると、第２制御回路５２は、第４スイッチング素子Ｑ４をオフ状態からオン状態に切り替える。
【００９４】
本実施形態の電源装置１Ａは、バイアス回路８をさらに備えることが好ましい。電源回路３は、複数の光源２の並列回路に直列接続されたスイッチング素子（第４スイッチング素子）Ｑ４と、点灯電流に応じた電圧である検出電圧Ｖｒ１を出力する電流検出部（検出抵抗Ｒ１）とを備えることが好ましい。バイアス回路８は、複数の第２期間Ｔ１，Ｔ２，Ｔ３のそれぞれにおいて、調光レベルが低いほど、振幅が大きい直流電圧を出力することが好ましい。制御回路５は、直流電圧に検出電圧Ｖｒ１が重畳された重畳電圧Ｖｉｓを目標電圧Ｖｔｈと比較して、重畳電圧Ｖｉｓが目標電圧Ｖｔｈに達するとスイッチング素子Ｑ４をオフ状態に制御することが好ましい。
【００９５】
本実施形態の電源装置１Ａは、第２期間Ｔ１，Ｔ２，Ｔ３のいずれにおいても、第１光源２１、第２光源２２、および第３光源２３のそれぞれの調光レベルに係わらず目標電圧Ｖｔｈを一定の値にして調光および調色することができる。
【００９６】
（実施形態３）
本実施形態の電源装置１Ｂについて図１２〜図１４を参照にして説明する。本実施形態の電源装置１Ｂは、第１制御回路５１が第２制御回路５２に第２スイッチング素子Ｑ４をオフ状態からオン状態に切り替わるタイミングを指示するように構成されていることが実施形態２と相違する。第１制御回路５１は、第４スイッチング素子Ｑ４を臨界モードだけでなく、連続モードおよび不連続モードで制御することができる。なお、本実施形態の電源装置１Ｂは、実施形態１と併用可能である。実施形態１または実施形態２と重複する構成については、同じ符号を付し、詳しい説明は省略する。
【００９７】
第１制御回路５１は、図１２に示すように、第２制御回路５２と電気的に接続されている。第１制御回路５１は、第２制御回路にオン電圧信号Ｖｏｎを出力するように構成されている。第２制御回路５２は、オン電圧信号Ｖｏｎ入力されると第１スイッチング素子Ｑ４をオフ状態からオン状態に切り替えるように構成されている。
【００９８】
降圧チョークＬ１の二次側コイルＬ１２の一端は、第１制御回路５１に電気的に接続され、第２検出電圧Ｖｚｃｄを監視する。
【００９９】
例えば、図１３に示すように、連続モードにおける第１制御回路５１は、第２検出電圧Ｖｚｃｄがゼロに達するよりも早くオン電圧信号Ｖｏｎを第２制御回路５２に出力する。第２制御回路５２は、第１制御回路５１からオン電圧信号Ｖｏｎが入力されると、第４スイッチング素子Ｑ４をオフ状態からオン状態に切り替える。このようにして、第２制御回路５２は、第４スイッチング素子Ｑ４をスイッチング制御する。
【０１００】
本実施形態の電源装置１Ｂでは、連続モードにおいて、電源回路３の高周波リップル電流を低減することができる。
【０１０１】
また、例えば、図１４に示すように、不連続モードにおける第１制御回路５１は、第２検出電圧Ｖｚｃｄがゼロに達し、さらに所定の期間が経過したときにオン電圧信号Ｖｏｎを第２制御回路５２に出力する。第２制御回路５２は、第１制御回路５１からオン電圧信号Ｖｏｎが入力されると、第４スイッチング素子Ｑ４をオフ状態からオン状態に切り替える。このようにして、第２制御回路５２は第４スイッチング素子Ｑ４をスイッチング制御する。
【０１０２】
本実施形態の電源装置１Ｂでは、不連続モードにおいて、臨界モードと比較して、第１光源２１、第２光源２２、および第３光源２３に対して深い調光ができる。
【符号の説明】
【０１０３】
１  電源装置
１Ａ  電源装置
１０  照明器具
２  光源
２１  第１光源
２２  第２光源
２３  第３光源
３  電源回路
４  電流遮断器
５  制御回路
５１  第１制御回路
５２  第２制御回路
８  バイアス回路
Ｑ１  第１スイッチング素子
Ｑ２  第２スイッチング素子
Ｑ３  第３スイッチング素子
Ｑ４  第４スイッチング素子
Ｒ１  検出抵抗
Ｔ０  第１期間
Ｔ１，Ｔ２，Ｔ３  第２期間
Ｖｉｓ  重畳電圧
Ｖｒ１  第１検出電圧（検出電圧）
Ｖｔｈ  目標電圧
Ｘ１，Ｘ２，Ｘ３  調光閾値
【図１】
2017117740.tif 000003
【図２】
2017117740.tif 000004
【図３】
2017117740.tif 000005
【図４】
2017117740.tif 000006
【図５】
2017117740.tif 000007
【図６】
2017117740.tif 000008
【図７】
2017117740.tif 000009
【図８】
2017117740.tif 000010
【図９】
2017117740.tif 000011
【図１０】
2017117740.tif 000012
【図１１】
2017117740.tif 000013
【図１２】
2017117740.tif 000014
【図１３】
2017117740.tif 000015
【図１４】
2017117740.tif 000016